(57)【特許請求の範囲】
【請求項１】
リムおよびタイヤを有し、該タイヤはそのビード内に２つの可撓性ビードを備え、前記リムは２つのウイングを備え、該２つのウイングは、タイヤのビードを受入れるように設計され且つ装着溝により互いに分離されている２つのシートに連結されているチューブレス形式サイクル用装着組立体を補修する装置であって、該補修装置がインナーチューブからなる補修装置において、
前記インナーチューブの内径が前記リムシートの直径より大きい、
ことを特徴とする補修装置。
【請求項２】
非膨張状態において、インナーチューブの断面の周長に対するタイヤの断面の内周長の比は、１．６より大きく、好ましくは１．８より大きい、
請求項１記載の補修装置。
【請求項３】
インナーチューブの断面の直径に対するインナーチューブの内径の比は、５０より大きく、好ましくは６０より大きい、
請求項１または２記載の補修装置。
【請求項４】
インナーチューブは、ポリマー材料の混合物からなる、
請求項１〜３のいずれか１項記載の補修装置。
【請求項５】
インナーチューブは、天然ゴムで作られている、
請求項４記載の補修装置。
【請求項６】
チューブは、識別手段を有しおよび／または識別手段と組合される、
請求項１〜５のいずれか１項記載の補修装置。
【請求項７】
インナーチューブは、区別できる着色が付されている、
請求項６記載の補修装置。
【請求項８】
インナーチューブは、区別できるマークを有している、
請求項６または７記載の補修装置。
【請求項９】
インナーチューブは、区別できるパッケージングと組合される、
請求項６〜８のいずれか１項記載の補修装置。
【発明の詳細な説明】
【技術分野】
【０００１】
本発明は、リムおよびチューブレス形式のタイヤを備えたサイクル用、より詳しくは自転車用の装着組立体（mounted assemblies）、すなわち、インナーチューブを備えていないサイクル用装着組立体に関する。より詳しくは、本発明は、このような装着組立体を補修するシステムであって、走行中にパンクが生じた場合に、ユーザが当該サイクルの走行機能を回復した状態に戻すことができるようにする補修システムに関する。
【背景技術】
【０００２】
「チューブ」形式の従来の装着組立体は、リムと、タイヤと、インナーチューブ（該インナーチューブの機能は、圧力を維持しかつタイヤをリム上に保持することにある）とを有している。パンクした場合に、これらの装着組立体は簡単に補修できる。補修は、空気漏れの原因、従ってインナーチューブの孔を認識すること、およびこの孔を補修パッチでシールすることからなる。このような補修は非常に簡単であり、最小の経験で行うことができる。他の解決法は、ユーザが使い捨てを望む場合には、孔の穿いたインナーチューブを、新しいインナーチューブに交換することである。
【０００３】
「チューブレス」形式の装着組立体は、リムおよびタイヤからなる。
下記特許文献１に開示されているようなチューブレス形式の従来のリムは、種々のゾーンからなる。すなわち、最初に、リムの外縁部から出発して、リムフランジすなわちウイングが存在し、該リムフランジの本質的機能は、膨張状態においてタイヤのビードを保持することである。次に、ビードのシートが存在し、該シート上にはタイヤのビードが載り、かつシートはビードのクランピング並びに気密性を確保する。最後に、タイヤの装着を可能にするための溝が存在し、該溝の幅は、ビードが溝の壁上に載ることにより膨張の開始時に気密性を確保するように定められる。ハンプを備えたリムの場合には、ハンプは、ビードシートと、装着を可能にする溝との間に存在する。ハンプとは突出部であり、その機能は、特に圧力低下の場合にタイヤがシートから離脱することを防止しまたは少なくとも遅延させることにある。
【０００４】
このようなリムにチューブレスタイヤを装着する従来の方法は、次のような種々の段階を有する。すなわち、最初に、第一ビードの一部がリムフランジの上を通され、この部分が溝内に配置される。次に、ビードの残部がフランジの上を通されるが、これは、タイヤの対応ビードワイヤが僅かに楕円形になっているために行える。次に、最終段階として装着が完了し、この最終段階は、リムフランジ上に載るシート上にビードを位置決めすることを確保する圧力に膨張させることを含む。この段階の間、ビードは装着溝を離れて、ビードがそれぞれのシートに導かれることを妨げる障害物を形成するハンプ上を通る。
このような用途に限定されるものではないが、本発明は、特に、ロード用自転車に装着することを意図した装着組立体に関連して説明する。これらの装着組立体の特別な特徴は、作動圧力が約８バールであることである。
【０００５】
全地勢形式（all terrain type）の自転車用チューブレスタイヤの装着組立体を製造することは現在知られており、このようなタイヤの作動圧力は約２バールである。パンクの場合には、ユーザは、空気漏れの原因が認識されたならば補修できる。これが不可能な場合には、ユーザは、装着組立体の寸法に対応するインナーチューブを用いてこの問題に対処することを試みることができる。これを行うには、先ず第一に、インナーチューブのバルブを取外す必要がある。次にユーザは、タイヤのビードを装着溝内に挿入すること、タイヤのキャビティ内にインナーチューブを挿入すること、次に、このように形成された組立体を膨張することを行う。
【０００６】
ロード用自転車に装着することを意図したチューブレス装着組立体の場合には、装着組立体の寸法に対応するインナーチューブを挿入することを試みるユーザは、困難に遭遇する。装着溝内へのタイヤのビードの挿入を達成するには、インナーチューブをタイヤのキャビティ内に挿入し、ユーザは、タイヤおよび／またはインナーチューブを損傷するある程度の危険性がある工具を用いなくてはならない。この段階では、更に、ユーザが、かくして作られた組立体の膨張を確保できないことが明白になる。インナーチューブの膨張により、溝の底にタイヤのビードが詰まってしまう。
【０００７】
【特許文献１】欧州特許ＥＰ ０ ８９３ ２８０号（特許出願ＷＯ ０３／００８２０８号）明細書
【発明の開示】
【発明が解決しようとする課題】
【０００８】
かくして、本発明の目的は、ロード用自転車に使用するための、リムおよびタイヤを備えた「チューブレス」形式の装着組立体用のパンク補修システムを提供することにある。
【課題を解決するための手段】
【０００９】
本発明によれば、上記目的は、リムおよびタイヤを有し、タイヤは特にそのビード内に２つの可撓性ビードを備え、リムは２つのウイングを備え、２つのウイングは、タイヤのビードを受入れるように設計された２つのシートに取付けられかつ装着溝により互いに分離されており、インナーチューブを更に有する、チューブレス形式のサイクル用装着組立体を補修するシステムであって、インナーチューブの内径がリムシートの直径より大きく、好ましくはリムの外径より大きい構成の補修装置により達成される。
【００１０】
インナーチューブの内径とは、インナーチューブが変形していない状態でインナーチューブにより画かれる円形断面の最大円の直径として定義される。円形の軸線は、インナーチューブが装着組立体に組込まれたときに、インナーチューブの回転軸線に一致する。
インナーチューブの前記内径は、膨張状態ではない形状で測定される。
タイヤのビードを受入れることを意図したリムシートの直径は、タイヤがリムに装着されたときに、タイヤのビードの半径方向最内径に一致する。
【００１１】
本発明に関し、「軸線方向」とは、タイヤまたはリムの回転軸線に対して平行な方向を意味し、「半径方向」とは、タイヤまたはリムの回転軸線に直交する方向を意味する。タイヤまたはリムの回転軸線とは、通常の使用時にタイヤまたはリムが回転する軸線である。周方向正中面とは、タイヤまたはリムの回転軸線に対して垂直な平面であって、タイヤまたはリムを二分する平面である。半径方向平面とは、タイヤまたはリムの回転軸線を含む平面である。
【００１２】
かくして、上記定義によるインナーチューブを含む補修システムは、パンクの場合に、ユーザが補修を行うことを可能にする。実際に、遂行した試験によれば、本発明のインナーチューブは、ユーザが、タイヤをリムに装着するときに、インナーチューブをタイヤ内に挿入し、次に膨張を行うことを可能にすることが実証されている。
また、インナーチューブの膨張により、タイヤのビードがリムシート上に位置決めされる。この位置決めは実質的に対称的に行われるため、このようにして補修されたサイクルは快適に乗ることができることは明白である。
【００１３】
本発明の好ましい実施形態によれば、補修システムのインナーチューブは、非膨張状態において、インナーチューブの断面の周長に対するタイヤの断面の内周長の比が、１．６より大きく、好ましくは１．８より大きい。
タイヤの断面の内径は、タイヤのビードのトウとトウとの間の半径方向平面内で測定される（ビードのトウとは、タイヤの内面と外面との間の境界である）。チューブレスタイヤの内面とは、膨張空気と接触する表面をいう。
本発明の好ましい実施形態によれば、タイヤの断面の内径に対する補修用インナーチューブの断面の周長従って直径が特定され、装着時にインナーチューブが挟まれる危険性が低下される。
装着時にインナーチューブが挟まる危険性を更に低下させるには、インナーチューブの断面の周長に対するタイヤの断面の内周長の比が２より大きいことが好ましい。
本発明による補修システムの有利な変更形態は、インナーチューブの断面の直径に対するインナーチューブの内径の比が５０より大きく、好ましくは６０より大きい。
【００１４】
また、インナーチューブは、ポリマー材料の混合物からなるのが有利である。本発明によれば、材料は、空気に対する不透過性が、チューブ形式の装着組立体用のインナーチューブに慣用的に要求されているレベルにない材料が有利である。実際に、本発明によるインナーチューブの機能は、孔をシールすることによりチューブレス装着組立体を補修することである。かくして、タイヤの内面に対する表面領域に関して無視できる、孔のレベルから離れたタイヤの全内面に亘って、インナーチューブは、気密性であると定義される表面を倍化する。チューブ形式のタイヤの場合には、インナーチューブの機能は、特に、圧力を維持し、従ってできる限り気密性の高いものとすることにある。
かくして、本発明の好ましい実施形態によれば、インナーチューブは天然ゴムで作られる。このような実施形態の１つの長所は、低コストのインナーチューブを作ることができることである。
【００１５】
本発明の他の有利な変更形態によれば、補修用インナーチューブが識別手段を有しおよび／または識別手段と組合される。この変更形態によれば、この補修用チューブと慣用の他のインナーチューブとを混用する危険性を無くすことにより、このような補修システムを簡単に使用できる。かくして、これにより、ユーザが、チューブレス形式の装着組立体に適していないインナーチューブを所有して、走行時に補修を行なわなくてはならない危険性が大幅に低減される。
【００１６】
本発明の前記変更形態の第一実施形態によれば、インナーチューブは、特に、チューブ形式の装着組立体に使用されるインナーチューブの慣用着色に対して区別できる着色が付されている。
本発明の前記変更形態の第二実施形態によれば、インナーチューブは、区別できるマークを有している。
本発明の前記変更形態の第三実施形態によれば、インナーチューブは、区別できるパッケージングと組合される。
【００１７】
また本発明は、本発明による補修用インナーチューブを慣用のインナーチューブから区別することを更に補助するため、これらの種々の手段を、対をなしてまたは全部を一緒に組合せることを提案する。
【発明を実施するための最良の形態】
【００１８】
本発明の他の詳細および特徴は、図１〜図３を参照して述べる本発明の例示実施形態についての以下の説明から明らかになるであろう。
本発明の理解を容易にするため、図面の縮尺は必ずしも正確でない。
図１は、寸法２２−６２２の装着組立体を意図した本発明によるインナーチューブ１の半径方向概略断面図である。インナーチューブ１は、６３３ｍｍの内径Ｄおよび１２．５ｍｍの断面２の直径ｄを有する。
チューブレス形式の装着組立体のリムシートの直径は６２１．５ｍｍであり、前記リムの外径は６３２．７ｍｍである。かくして、本発明により定められる関係（この関係によれば、インナーチューブの内径Ｄは装着組立体のリムシートの直径より大きく、好ましくは、リムの外径より大きい）が確立される。
同様に、インナーチューブの断面の周長に対するタイヤの断面の内周長（６３ｍｍ）の比は１．６０４であり、従って１．６より大きい。
最後に、インナーチューブの断面の直径ｄに対するインナーチューブの内径Ｄの比は５０．６４であり、従って５０より大きい。
【００１９】
図２は、タイヤ５およびインナーチューブ６に関連するリム４を有するチューブ形式の装着組立体３の半径方向部分断面の概略図である。この図２は、チューブ形式の装着組立体におけるインナーチューブの機能を示している。膨張したインナーチューブ６は、タイヤ５のビード７をリム４のウイング８に当接して維持することができ、これにより、ビードはフック９により所定位置にクサビ止めされる。
かくして、チューブ形式の装着組立体に使用される従来のインナーチューブの機能は、膨張圧力を維持すること、従って特に、タイヤ５をリム４上に維持することにある。
【００２０】
図３は、チューブレス形式の装着組立体１０の半径方向断面の部分概略図である。装着組立体１０はリム１１を有し、該リム１１は、タイヤのビード１４を受入れることを意図した２つのシート１３に取付けられた２つのウイング１２を備えている。シート１３は、装着溝１５により互いに分離されている。装着溝１５は壁１６を有し、該壁１６は、突出部すなわちハンプ１７によりシート１３から分離されている。
【００２１】
ウイング１２は、周方向正中面に対して実質的に平行に配向されている。ビードのシート１３は、回転軸線に対して実質的に平行である。図３に示すように、装着溝１５の壁１６は２つの部分、すなわち、周方向正中面に対して約３０°の角度を形成しかつ正中面上に中心をもつ第一部分すなわち底部１６ａと、周方向正中面に対して約６５°の角度を形成しかつ正中面上に中心をもつ第二部分すなわち頂部１６ｂとにより形成される。
またウイング１２は、これらの頂部にフック１８を有し、該フック１８は、これらのフックの取付け点で、ウイング１２の平面に対してリムの内側に向かう張出し部分（オーバーハング）を形成している。
【００２２】
このようなリム１１上に、従来の形状をもつチューブレス形式のタイヤを装着するとき、先ず第一に、タイヤの両ビード１４がリム１１の装着溝１５内に導入される。図３は、装着組立体１０を装着するこのフェーズを示している。
次の段階では、タイヤが膨張される。このため、リム１０にはバルブ（図示せず）が設けられている。バルブは、タイヤの両ビード間に直接空気を注入できるように、溝底１５に配置するのが有利である。溝底１５は両ビード１４を受入れることができる幅を有し、両ビードは、壁１６に当接してシステムの気密性を確保する。これは、特に溝１５の底部に傾斜壁１６ａを設けることにより特に達成される。
かくしてタイヤのビードは、この目的のために設けられたシート１３上に配置され、かつビードを保持するウイング１２と接触する。
また、ウイング１２はフック１８を有し、該フックは、タイヤ内の圧力が増大したときにタイヤのビード１４を保持することを補助する。
【００２３】
チューブレス形式の装着組立体１０を示す図３と、チューブ形式の装着組立体３を示す図２との比較により、チューブ形式の装着組立体用の従来のインナーチューブ６をチューブレス形式の装着組立体内に挿入するには問題があることが分る。実際に、先ず第一に、チューブレス形式の装着組立体の設計では、膨張前にインナーチューブが装着溝１５内に配置されるとき、タイヤの両ビード１４間にインナーチューブを通すための極く小さいスペースが形成されるに過ぎない。従って、チューブ形式の装着組立体用の従来のインナーチューブを挿入するには、タイヤのキャビティ内にチューブを折畳む必要があり、これでは、膨張時にインナーチューブが挟まれてしまう危険がある。また、ロード用タイヤのキャビティのサイズは、チューブ形式の装着組立体用の従来のインナーチューブをキャビティ内に首尾良く入れるのに特別な熟練を要する大きさである。
【００２４】
従来のインナーチューブを用いて行った試験は、更に、膨張時に、このようなインナーチューブはビードの上昇移動を妨げ、このためビードがリムシートに到達できないことを実証している。
何回かの試験中に、装着が成功裏に行われたときでも、このような装着は不完全で、自転車を不快なものまたは実際には乗るのが危険なものとなったことは明白である。実際に、得られた装着は非対称的なものとなり、一方のビードのみが最良の態様でハンプ上を通るに過ぎない。
【００２５】
これに対し、従来のインナーチューブよりも小さい断面２の直径ｄおよび従来のインナーチューブよりも大きい内径Ｄを有する本発明のインナーチューブは、タイヤを装着する前に、タイヤのキャビティ内に収容することができる。次に、本発明によるインナーチューブは、その膨張時に、特にその寸法により、少なくとも最初の一時期にタイヤのクラウンに実質的に当接するようになり、このため、パンクの原因となった孔をシールしかつビードがリムシート上に導かれることを可能にする。
リムシート上へのビードの導入は実質的に対称的かつ均一に行われ、ユーザの快適性および安全性が確保される。
このように形成されかつ通常ではない寸法を有する本発明のインナーチューブ（その第一の機能は孔をシールすることにある）は、装着溝内へのタイヤのビードの挿入を可能にし、タイヤのキャビティ内に挿入でき、更に、装着組立体の膨張を可能にする。
【００２６】
しかしながら、本発明による補修用インナーチューブの装着時には、補修用インナーチューブのバルブが通ることができるようにするため、予め、バルブをチューブレスリムから取外す必要は残っている。膨張前に、タイヤがリムの装着溝１５内にあるとき、バルブを備えたインナーチューブのゾーンのみが、タイヤの両ビード１４間に配置される。
【図面の簡単な説明】
【００２７】
【図１】本発明によるインナーチューブを示す半径方向断面の概略図である。
【図２】チューブ形式の装着組立体を示す半径方向断面の部分概略図である。
【図３】膨張させる前のチューブレスタイヤの装着組立体を示す半径方向断面の部分概略図である。
【符号の説明】
【００２８】
１  インナーチューブ
１０  装着組立体
１１  リム
１２  ウイング
１３  シート
１４  ビード
１５  装着溝
１６  壁
１７  ハンプ（突出部）
１８  フック
【図１】
0004571124.tif 000002
【図２】
0004571124.tif 000003
【図３】
0004571124.tif 000004